(57)【特許請求の範囲】
【請求項１】
約１５０ミクロン以下の寸法の細胞集合体を有するトラウストキトリウム属、シゾキトリウム属及びこれらの混合物とからなる群から選択される微生物相バイオマス。
【請求項２】
前記シゾキトリウム属はＡＴＣＣ第２０８８８番、第２０８８９番及びこれらの変異体からなる群から選択されるとともにオメガ三系高度不飽和脂肪酸を産生できるという特徴を備え、前記シゾキトリウム属は少なくとも約０．５％の乾燥重量のオメガ三系高度不飽和脂肪酸含量を有している請求項１に記載の微生物相バイオマス。
【請求項３】
前記トラウストキトリウム属はＡＴＣＣ第２０８９０番、第２０８９１番、第２０８９２番及びこれらの変異体からなる群から選択されるとともにオメガ三系高度不飽和脂肪酸を産生できるという特徴を備え、前記トラウストキトリウム属が少なくとも約０．５％の乾燥重量のオメガ三系高度不飽和脂肪酸含量を有している請求項１に記載の微生物相バイオマス。
【請求項４】
培地１リットル当り約１２０ミリグラム以下の塩化物と、炭素源及び窒素源と、微量養分と、１リットル当たり１グラム以上の非塩化物ナトリウム塩を含有する培地において約５〜４８℃の温度及びｐＨ約５．０〜１１．０でトラウストキトリウム属、シゾキトリウム属及びこれらの混合物からなる群から選択された微生物を生育することを含む請求項１に記載の微生物相を生成する方法。
【請求項５】
培地１リットル当り約１２０ミリグラム以下の塩化物と、炭素源及び窒素源と、微量養分と、非塩化物ナトリウム塩を含有する培地において、約５〜４８℃の温度及びｐＨ約５．０〜１１．０でトラウストキトリウム属、シゾキトリウム属及びこれらの混合物からなる群から選択された微生物を生育することを含む請求項１に記載の微生物相バイオマスを生育する方法。
【請求項６】
培地１リットル当り約１２０ミリグラム以下の塩化物と、炭素源、窒素源、微量養分、及び硫酸ナトリウムを含有する培地において、約５〜４８℃の温度及びｐＨ約５．０〜１１．０でトラウストキトリウム属、シゾキトリウム属及びこれらの混合物からなる群から選択された微生物を生育することを含む請求項１に記載の微生物相バイオマスを生育する方法。
【請求項７】
前記硫酸ナトリウムの濃度は約１ｇ／ｌから約５０ｇ／ｌの間である請求項６に記載の方法。
【請求項８】
前記硫酸ナトリウムの濃度は約２ｇ／ｌから約２５ｇ／ｌの間である請求項６に記載の方法。
【請求項９】
培地１リットル当り約３グラム以下の塩化物と、炭素源及び窒素源と、微量養分と、非塩化物ナトリウム塩とを含有する培地において、前記培地１リットル当たりのナトリウム濃度（Ｎaのｇ／ｌで表す）が２．０ｇ／ｌ〜２５ｇ／ｌで、トラウストキトリウム属、シゾキトリウム属及びこれらの混合物からなる群から選択された微生物を生育することを含む請求項１に記載の微生物相バイオマスを生成する方法。
【請求項１０】
培地１リットル当り約３グラム以下の塩化物と、炭素源及び窒素源と、微量養分と、および非塩化物ナトリウム塩とを含有する培地において、前記培地中のナトリウムの５０％以下を塩化ナトリウムとして供給して、トラウストキトリウム属、シゾキトリウム属及びこれらの混合物からなる群から選択された微生物を生育することを含む請求項１に記載の微生物相バイオマスを生成する方法。
【請求項１１】
前記培地中のナトリウムの２５％以下を塩化ナトリウムとして供給する、請求項１０に記載の方法。
【請求項１２】
前記培地が培地１リットル当り５００ミリグラム以下の塩化物含量を有している請求項９または１０に記載の方法。
【請求項１３】
前記培地が培地１リットル当り１２０ミリグラム以下の塩化物含量を有している請求項９または１０に記載の方法。
【請求項１４】
前記培地が培地１リットル当り約６０ミリグラム〜１２０ミリグラムの塩化物含量を有している請求項４、５、６、９および１０のいずれかに記載の方法。
【請求項１５】
前記ナトリウム塩は硫酸ナトリウム、ソーダ灰、酸化ナトリウム、炭酸ナトリウム、重炭酸ナトリウム及びこれらの混合物からなる群から選択されたものである請求項４、５、９および１０のいずれかに記載の方法。
【請求項１６】
前記シゾキトリウム属はＡＴＣＣ第２０８８８番、第２０８８９番及びこれらの変異体からなる群から選択されるとともにオメガ三系高度不飽和脂肪酸を産生できるという特徴を備え、前記シゾキトリウム属は少なくとも約０．５％の乾燥重量のオメガ三系高度不飽和脂肪酸含量を有している請求項４〜１５のいずれかに記載の方法。
【請求項１７】
前記トラウストキトリウム属はＡＴＣＣ第２０８９０番、第２０８９１番、第２０８９２番及びこれらの変異体からなる群から選択されるとともにオメガ三系高度不飽和脂肪酸を産生できるという特徴を備え、前記トラウストキトリウム属が少なくとも約０．５％の乾燥重量のオメガ三系高度不飽和脂肪酸含量を有している請求項４〜１５のいずれかに記載の方法。
【請求項１８】
ａ）微生物相が、非塩化物ナトリウム塩を含んだ培地中で、請求項４〜１５のいずれかに記載の方法により生育される請求項１に記載の微生物相バイオマスと、
ｂ）亜麻仁、菜種、大豆、アボカドミール及びこれらの混合物からなる群から選択される物質とを含む食品。
【請求項１９】
前記食品の組成には約５〜９５重量％の前記物質が含まれる請求項１８に記載の食品。
【請求項２０】
前記食品は押出し成形物である請求項１８に記載の食品。
【請求項２１】
請求項１に記載のトラウストキトリウム属、シゾキトリウム属及びこれら混合物からなる群から選択される微生物相を、仔エビ、塩水エビ、クルマムシ及び軟体動物からなる群から選択された生体に給餌することを含み、前記微生物相は、請求項４〜１５のいずれかに記載の方法により生育されたものである、水産養殖の方法。
【発明の詳細な説明】
【０００１】
【発明の属する技術分野】
本発明は従属栄養生体並びに人間及び動物の食品添加物としての使用或いは医薬品及び工業製品における使用に適正な高濃度オメガ三系高度不飽和脂肪酸（ＨＵＦＡ）を含有する脂質を生成するための従属栄養生体及びその培養方法に関する。
【０００２】
【従来の技術】
オメガ三系高度不飽和脂肪酸（ＨＵＦＡｓ）は動脈硬化症及び心疾患を予防し、炎症を緩和し、腫瘍細胞の成長を抑制するのに重要な栄養化合物であると最近になって認識されるようになり、営利的な関心が大きくもたれている。これらの利点はオメガ六系脂肪酸から生成される化合物の拮抗的阻害を生じさせるオメガ三系ＨＵＦＡｓに由来すると同時に、オメガ三系ＨＵＦＡｓ自体から直接生成される有利な化合物にも由来する（シモポウロス（Simopoulos）ら）。オメガ六系脂肪酸は植物及び動物に見出される優位なＨＵＦＡｓである。現在、オメガ三系ＨＵＦＡｓの市販栄養源はこれら脂肪酸を２０〜３０％含有可能なある種の魚油である。これら脂肪酸の効果は一週間に数回魚を食べ、或いは濃縮魚油を毎日摂取することによって得られる。従って、栄養補給として毎年多量の魚油が加工、封入され、販売されている。しかし、これら魚油補給物には幾つかの重要な問題があり、この中には脂溶性ビタミンが生物学的に蓄積し、飽和したオメガ六系脂肪酸が高濃度になるという問題があり、双方とも健康に害を及ぼし得る。
【０００３】
別のオメガ三系ＨＵＦＡｓ源は関連米国特許第５，１３０，２４２号に詳述されている微生物相のトラウストキトリウム属（Thraustochytrium）及びシゾキトリウム属（Schizochytrium）である。これら微生物相は従属栄養性であって高濃度のオメガ三系ＨＵＦＡｓを生成できるという利点を有している。しかし、これら微生物相の発酵方法を改良し、微生物相生産物の改良形の使用方法を特定する必要性が依然として存在している。
【０００４】
【発明が解決しようとする課題】
本発明は、上記の事情を考慮してなされたものであって、高濃度のオメガ三系高度不飽和脂肪酸を生成する微生物相及び同微生物相を生育する方法を提供することにある。
【０００５】
【課題を解決するための手段】
上述の目的を達成するため、請求項１に記載の発明は、約１５０ミクロン以下の寸法の細胞集合体を有するトラウストキトリウム属、シゾキトリウム属及びこれらの混合物とからなる群から選択される微生物相バイオマスを提供する。
【０００６】
請求項２に記載の発明では、請求項１に記載の微生物相バイオマスにおいて、シゾキトリウム属がＡＴＣＣ第２０８８８番、第２０８８９番及びこれらの変異体からなる群から選択されるとともにオメガ三系高度不飽和脂肪酸を産生できるという特徴を備え、同シゾキトリウムは少なくとも約０．５％の乾燥重量のオメガ三系高度不飽和脂肪酸含量を有することをその要旨とする。
【０００７】
請求項３に記載の発明では、請求項１に記載の微生物相バイオマスにおいて、トラウストキトリウム属がＡＴＣＣ第２０８９０番、第２０８９１番、第２０８９２番及びこれらの変異体からなる群から選択されるとともにオメガ三系高度不飽和脂肪酸を産生できるという特徴を備え、同トラウストキトリウム属が少なくとも約０．５％の乾燥重量のオメガ三系高度不飽和脂肪酸含量を有することをその要旨とする。
【０００８】
請求項４に記載の発明では、培地１リットル当り約３グラム以下の塩化物と、炭素源及び窒素源と、微量養分と、１リットル当たり１グラム以上の非塩化物ナトリウム塩を含有する培地において約５〜４８℃の温度及びｐＨ約５．０〜１１．０でトラウストキトリウム、シゾキトリウム及びこれらの混合物からなる群から選択された微生物を生育することを含む請求項１に記載の微生物相を生成する方法を提供する。
【０００９】
請求項５に記載の発明は、請求項４に記載の方法において、ナトリウム塩は硫酸ナトリウム、ソーダ灰、酸化ナトリウム、炭酸ナトリウム、重炭酸ナトリウム及びこれらの混合物からなる群から選択されたものであることをその要旨とする。
【００１０】
請求項６に記載の発明は、請求項４に記載の方法において、シゾキトリウム属がＡＴＣＣ第２０８８８番、第２０８８９番及びこれらの変異体からなる群から選択されるとともにオメガ三系高度不飽和脂肪酸を産生できるという特徴を備え、同シゾキトリウムは少なくとも約０．５％の乾燥重量のオメガ三系高度不飽和脂肪酸含量を有していることをその要旨とする。
【００１１】
請求項７に記載の発明は、請求項４に記載の方法において、トラウストキトリウム属がＡＴＣＣ第２０８９０番、第２０８９１番、第２０８９２番及びこれらの変異体からなる群から選択されるとともにオメガ三系高度不飽和脂肪酸を産生できるという特徴を備え、同トラウストキトリウム属が少なくとも約０．５％の乾燥重量のオメガ三系高度不飽和脂肪酸含量を有していることをその要旨とする。
【００１２】
請求項８に記載の発明は、請求項４に記載の方法において、培地が培地１リットル当り約２５０ミリグラム以下の塩化物含量を有していることをその要旨とする。
【００１３】
請求項９に記載の発明は、ａ）非塩化物ナトリウム塩を含んだ培地中で生育される請求項１に記載の微生物相バイオマスと、ｂ）亜麻仁、菜種、大豆、アボカドミール及びこれらの混合物からなる群から選択される物質とからなる食品を提供する。
【００１４】
請求項１０に記載の発明は、請求項９に記載の食品において、同食品の組成に約５〜９５重量％の物質ｂ）が含まれることをその要旨とする。
請求項１１に記載の発明は、請求項９に記載の食品において、同食品は押出し成形物であることをその要旨とする。
【００１５】
請求項１２に記載の発明は、請求項１に記載のトラウストキトリウム属、シゾキトリウム属及びこれら混合物からなる群から選択される微生物相を、仔エビ、塩水エビ、クルマムシ及び軟体動物からなる群から選択された生体に給餌することからなる水産養殖の方法を提供する。
【００１６】
請求項１３に記載の発明は、培地１リットル当り約５００ミリグラム以下の塩化物と、炭素源及び窒素源と、微量養分と、非塩化物ナトリウム塩を含有する培地において、約５〜４８℃の温度及びｐＨ約５．０〜１１．０でトラウストキトリウム属、シゾキトリウム属及びこれらの混合物からなる群から選択された微生物を生育することを含む請求項１に記載の微生物相バイオマスを生育する方法をその要旨とする。
【００１７】
請求項１４に記載の発明は、炭素源、窒素源、微量養分、及び硫酸ナトリウムを含有する培地において、約５〜４８℃の温度及びｐＨ約５．０〜１１．０で請求項１に記載の微生物相バイオマスを生育する方法をその要旨とする。
【００１８】
請求項１５に記載の発明は、請求項１４に記載の方法において、硫酸ナトリウムの濃度は約１ｇ／ｌから約５０ｇ／ｌの間であることをその要旨とする。
請求項１６に記載の発明は、請求項１４に記載の方法において、硫酸ナトリウムの濃度は約２ｇ／ｌから約２５ｇ／ｌの間であることをその要旨とする。
【００１９】
本発明の一実施例では、細胞集合体の平均寸法が約１５０ミクロン以下のトラウストキトリウム属、シゾキトリウム属及びこれらの混合物からなる微生物相バイオマスが生成される。微生物相バイオマスは水産養殖に有用であり、特にステロール含有量及びオメガ三系高度不飽和脂肪酸（ＨＵＦＡ）含有量が多い、エビに必要な主たる給餌的利点を微生物相が有するため、仔エビ（larval shrimp）に給餌するのに有用である。加えて、微生物相は細胞集合体の寸法が小さいため、仔エビ、塩水エビ（brine shrimp）、クルマムシ及び軟体動物によって摂取可能である。本発明にはこれらの生物を生産する方法も含まれ、この方法には細胞の平均寸法が約１５０ミクロン以下のトラウストキトリウム属、シゾキトリウム属及びこれらの混合物を給餌することが含まれる。
【００２０】
本発明の更なる実施例では、トラウストキトリウム属、シゾキトリウム属及びこれらの混合物からなる群から選択された微生物を生育する新規の方法を含む。この方法には、特に硫酸ナトリウム等の非塩化物ナトリウム塩を有する培地において微生物相を生育することが含まれる。より詳細には、発酵に必要なナトリウムの大部分は非塩化物ナトリウム塩として供給される。本発明の方法は、培地における塩化物含有量が大幅に低減され、よって塩化物が発酵装置を腐食することを回避できるために、特に市販向けの製造に有用である。加えて、本発明は水産養殖に利用される食品の製造に特に有用である。それは、この種の培地において培養されるトラウストキトリウム属及びシゾキトリウム属は高塩化物の培地において培養される場合よりも遥かに小さなクランプを形成し、よって仔エビの餌料源としてより得やすくなっているためである。特に、硫酸ナトリウム含有の培地において培養されるトラウストキトリウム属及びシゾキトリウム属は平均寸法が直径約１５０ミクロン以下の細胞集合体を有し得る。
【００２１】
本発明の更なる実施例は、トラウストキトリウム属、シゾキトリウム属及びこれらの混合物からなる群から選択される微生物相と、亜麻仁、菜種、大豆、アボカドミール（avocado meal）及びこれらの混合物からなる群から選択される添加成分とからなる食品に関する。この食品が特に効果的であるのは、長鎖オメガ三系脂肪酸と、添加成分由来の短鎖オメガ三系脂肪酸の含有量が多いことである。更なる実施例において、食品は押出しによって生成される。押出し工程には微生物相と添加成分とを混合する工程が含まれ、食品の水分含量が低減されるということがある。次に、食品は加熱されて押し出され、よって低減した水分含量の大部分を除去する。元来の水分含量の残量は自然乾燥又は短時間の焼成によって容易に除去されて乾燥に必要な総エネルギーが低減され、高温乾燥を延長することによってオメガ三系ＨＵＦＡｓの減成度が低減される。
【００２２】
【発明の実施の形態】
本明細書全体にわたる定義付けとして、脂肪酸は脂肪族モノカルボン酸であると理解されたい。脂質は脂肪酸のグリセリドエステルを関連ホスファチド、ステロール、アルコール、炭化水素、ケトン及び関連化合物とともに含有する脂肪又は油であると理解されたい。
【００２３】
この明細書中では脂肪酸の構造を示すのに一般的に用いられる簡略表記システムを用いている（例えばウィート（Weete）、１９８０）。このシステムでは文字「Ｃ」で始まり、炭化水素鎖中の炭素原子数を示す数が続き、コロン及び二重結合数を示す数と続いて、即ちＣ２０：５のエイコサペンタエン酸となる。脂肪酸はカルボキシカーボンから始まるように番号付けされている。二重結合位置はギリシャ文字デルタ（Δ）を付加し、この後に二重結合の炭素原子数が続くように示され、即ちＣ２０：５オメガ三系Δ5,8,11,14,17となる。「オメガ」表記は不飽和脂肪酸のための簡略表記システムであり、カルボキシル基端末炭素からの番号付けが用いられている。便宜的に「オメガ三系」を記号化するため、特に本明細書中に記載の数値式簡略表記法を使用する際にｎ−３が用いられている。オメガ三系高度不飽和脂肪酸はポリエチレン脂肪酸であり、末端のエチレン結合は脂肪酸の端末メチル基から由来すると同時にこれを含有する３つの炭素原子であると理解されたい。よって、オメガ三系高度不飽和脂肪酸であるエイコサペンタエン酸を完全に表記するとＣ２０：５ｎ−３Δ5,8,11,14,17となる。簡略化するため二重結合位置（Δ5,8,11,14,17）は省略される。エイコサペンタエン酸はＣ２０：５ｎ−３と示され、ドコサペンタエン酸（Ｃ２２：５ｎ−３Δ7,10,13,16,19）はＣ２２：５ｎ−３であり、ドコサヘキサエン酸（Ｃ２２：６ｎ−３Δ4,7,10,13,16,19）はＣ２２：６ｎ−３である。「高度不飽和脂肪酸」という術語は４つ以上の二重結合を有する脂肪酸のことである。「飽和脂肪酸」は１〜３つの二重結合を有する脂肪酸のことである。
【００２４】
オメガ三系ＨＵＦＡｓを生成するのに経済的に望ましい特性を有する以下の組合せによって多くの微生物株を容易に分離するための収集及び選別方法が生み出された。それは、１）従属栄養生育が可能、２）含有量の多いオメガ三系ＨＵＦＡｓ、３）単細胞性、４）好ましくは含有量の少ない飽和したオメガ六系ＨＵＦＡｓ、５）好ましくは無着色、白色又は本質的に無色の細胞、６）好ましくは耐熱性（３０℃以上の温度にて生育する能力）及び７）好ましくは広塩度（広範囲の塩度にわたり、特に低塩度にて生育可能）である。この方法は関連米国特許第５，１３０，２４２号に詳述されている。
【００２５】
この収集及び選別方法を用いて、細胞の総乾燥重量パーセント（％ｄｗｔ）の約４５％までの脂肪酸分を有し、１５〜４８℃の範囲の温度にわたって生育し、かつ塩度が非常に低い培地において生育する単細胞微生物相菌株を分離することができる。非常に高度のオメガ三系菌株の多くは非常に緩慢に生育する。上記のように概説した方法によって分離され、かつ急速な生育度、優れた生成能及び多量のオメガ三系ＨＵＦＡ含有量を示す菌株は約１２％ｄｗｔまでのオメガ三系不飽和脂肪酸含量を有している。
【００２６】
本発明の一態様では非塩化物ナトリウム塩、好ましくは硫酸ナトリウムを含有する発酵培地においてオメガ三系ＨＵＦＡ含有量が多いトラウストキトリウム属、シゾキトリウム属及びこれらの混合物を生育している。より詳細には、発酵に必要なナトリウムの大部分は非塩化物ナトリウム塩として供給される。例えば、発酵培地中のナトリウムの約７５％以下、好ましくは約５０％以下、更に好ましくは約２５％以下が塩化ナトリウムとして供給される。本発明の特に有利な点は、微生物相が生育される容器並びに他の発酵装置又は下流処理装置を腐食し得る塩化物が多量には存在しない状態で、微生物相が生育するのに必要なナトリウムの供給源が培地によって提供されていることにある。驚くべきことに、本発明の微生物相は約３ｇ／ｌ以下、好ましくは約５００ｍｇ／ｌ以下、更に好ましくは約２５０ｍｇ／ｌ以下、より一層好ましくは約６０〜１２０ｍｇ／ｌの塩化物濃度で生育可能であるとともに、１糖当り約５０％以上のバイオマスを多量に生成することが見出された。以下のように、本発明の更なる利点は、オメガ三系ＨＵＦＡ含有量が多いにも拘らず、仔エビ、塩水エビ、クルマムシ及び軟体動物が摂取できるほどに小さな寸法の細胞集合体を有する微生物相を生成することにある。
【００２７】
非塩化物ナトリウム塩の中にはソーダ灰（炭酸ナトリウム及び酸化ナトリウムの混合物）、炭酸ナトリウム、重炭酸ナトリウム、硫酸ナトリウム及びこれらの混合物があり、この中でも硫酸ナトリウムが好ましい。ソーダ灰、炭酸ナトリウム及び重炭酸ナトリウムは発酵培地のｐＨを増加させる性質を有し、よって培地のｐＨを適正に維持するために制御工程を必要とする。硫酸ナトリウム濃度は微生物相の塩度要件を満たすのに効果的であり、好ましくはナトリウム濃度（Ｎａのｇ／ｌで表す）は約１．０ｇ／ｌ以上、更に好ましくは約１．０〜５０．０ｇ／ｌ、より一層好ましくは約２．０〜２５ｇ／ｌである。
【００２８】
驚くべきことに、非塩化物ナトリウム塩、詳細には硫酸ナトリウムが存在する際の菌株の発酵によって、菌株の細胞集合体の寸法が約１５０ミクロン以下、好ましくは約１００ミクロン以下、更に好ましくは約５０ミクロン以下に制限されるということが見出された。本明細書中で用いられる細胞集合体の寸法という用語は、微生物相培養株の発酵培地における細胞のクランプ、即ち集合体の概算平均寸法のことをいう。通常、微生物相培養株における細胞集合体の約２５％以上、好ましくは約５０％以上、更に好ましくは約７５％以上が平均寸法以下の細胞集合体を有している。本発明に基づいて生成される微生物相細胞は、ブレンダー又は渦発生装置等によって液体状に再度懸濁され、即ち物理的に撹拌されても、バイオマスの凝固及び／又は乾燥後のみならず発酵培地に存在する間も、上記の細胞集合体の寸法パラメータを満たしている。本発明の方法は連続二分裂（１つの細胞が２つの細胞に分裂することによって複製し、この２つの細胞の各々が更に２つに分裂し…と繰り返す。）によって複製する微生物相には特に意味がある。これは、細胞が反復的かつ急速にこの工程に晒されると、形成中の多細胞集合体を凝集させる性質を帯び、この凝集体は上記の細胞集合体の寸法範囲を超える場合が多いためである。シゾキトリウム属は連続二分裂及び精胞子を放出する胞子のうの形成によって複製する。しかし、トラウストキトリウム属は胞子のうを形成し、精胞子を放出することによってのみ複製する。胞子のう／精胞子の形成によって複製するトラウストキトリウム属では、凝集も問題となり得る。これは特に、集合体中における細胞の数は連続二分裂によって形成される集合体ほど多くはなくとも、トラウストキトリウム属の個々の細胞の寸法が大きくなる傾向になり、よって少数の細胞からなる凝集塊が大きくなる。しかし、凝集が顕著ではない、１つのトラウストキトリウム属寄託株であるＡＴＣＣ  ２６１８５が確認された。
【００２９】
本発明の別態様において、トラウストキトリウム属、シゾキトリウム属及びこれらの混合物の生育中に発酵培地の酸素分を制限することによって菌株の脂質分を増加できることが見出された。脂質生成に最適な酸素濃度は培地の酸素分を変動させることによっていずれの微生物相の場合でも確定できる。特に、発酵培地の酸素分は約４０％以下の飽和度、好ましくは約５〜４０％の飽和度の酸素分に維持される。
【００３０】
本発明の方法による菌株の生育は菌株が充分に生育するように誘導する温度であれば何度であっても行うことができる。これは、例えば約５〜４８℃、好ましくは１５〜４０℃、更に好ましくは約２５〜３５℃である。通常、酸の添加又は緩衝液によってｐＨを調節しないと、発酵中に培地のアルカリ性が増す。菌株はｐＨが５．０〜１１．０、好ましくは約６．０〜８．５の範囲で生育する。
【００３１】
接種、生育及び回収のための種々の発酵パラメータが米国特許第５，１３０，２４２号に詳述されている。発酵管から採収されたバイオマスは乾燥させて（例えば、噴霧乾燥、トンネル乾燥（tunnel drying）、真空乾燥又は類似の方法によって）、給餌、即ち栄養補給としていかなる動物にも用いることができ、この動物の肉又は生産物が人間に消費される。同様に、抽出されたオメガ三系ＨＵＦＡｓも給餌、即ち栄養補給として使用できる。また、採収かつ洗浄されたバイオマスは給餌補給として（乾燥させずに）直接使用できる。保存寿命を延ばすために、湿性バイオマスは酸性にされ（ｐＨ約３．５〜４．５）、かつ／或いは低温殺菌又は急速加熱されて酵素を不活性化し、次に真空又は非酸化雰囲気（例えば、Ｎ2又はＣＯ2）下において缶詰め、瓶詰めにして包装することができる。「動物」という用語は動物界に属するいかなる生物体をも指し、家禽肉、海産食物、牛肉、豚肉又は小羊肉が得られるいかなる動物をも制限なく含んでいる。海産食物は魚、エビ及び貝等から制限なく得られる。「生産物」という用語にはこうした動物から得られる肉以外のいかなる生成物をも含まれ、この中には卵又は他の生成物等、制限なく含まれる。採収バイオマス中のオメガ三系ＨＵＦＡｓ又は抽出オメガ三系ＨＵＦＡｓはこうした動物に給餌されると、動物の肉、卵又は他の生産物の中に取り込まれ、これらの中のオメガ三系ＨＵＦＡ含有量を増加させる。
【００３２】
本発明の更なる実施例では採収バイオマスを仔エビ、塩水エビ、クルマムシ及び軟体動物、特に仔エビ用の食品として使用している。未だ幼態にある時、エビの幼態動物には大きすぎて利用できない餌料源がある。詳細には、ある生育段階においてエビの幼態動物は約１５０ミクロン以上の直径を有する餌料源を利用することができない。よって、先におおまかに記載したように、非塩化物ナトリウム塩、詳細には硫酸ナトリウム含有の発酵培地において生育された微生物相はエビ用食品としての使用に適している。上記のように、通常、このような条件のもとで生育された微生物相の細胞集合体は約１５０ミクロン以下、好ましくは約１００ミクロン以下、更に好ましくは約５０ミクロン以下の寸法を有している。
【００３３】
本発明の微生物相をエビ用餌料源として使用する更なる利点は、この微生物相はコレステロールを含むステロールを多量に含有し、これが仔エビの主たる給餌要件となっていることである。通常、本発明の微生物相は好ましくは少なくとも約０．１％の無灰乾燥重量（ａｆｄｗ）、更に好ましくは少なくとも約０．５％ａｆｄｗ、より一層好ましくは少なくとも約１．０％ａｆｄｗのステロール含量を有している。加えて、通常、本発明の微生物相は総ステロール含量の好ましくは少なくとも約１５％、更に好ましくは少なくとも約２５％、より一層好ましくは少なくとも約４０％のコレステロール含量を有している。更に、本発明の微生物相バイオマスはオメガ六系脂肪酸、タンパク質、炭水化物、色素及びビタミンのような更なる栄養素をもエビに付与している。
【００３４】
本発明の微生物生産物は水産養殖によって生産される魚、エビ及び他の生産物のオメガ三系ＨＵＦＡｓ源として価値がある。この生産物は上記のエビの場合のように食品として使用でき、或いはエビ及び魚への一般的な給餌補給物として直接添加でき、或いは水産養殖生物体の摂取用の塩水エビ又は他の生きたままの給餌用生物体に給餌できる。この微生物相をこのように用いることによって、エビ養殖家は成長率及び／又は生存率が顕著に高い仔エビを得ることができるとともに、更に丈夫な幼態経過後の仔エビを生産することができる。
【００３５】
大部分の給餌用では採収細胞の脂肪酸分は約１５〜５０％ｄｗｔであり、残りの物質の大部分はタンパク質及び炭水化物である。評価された菌株の幾つかが全ての必須アミノ酸を有するため、タンパク質は細胞の栄養価に多大な役割を果たし、栄養学的にバランスのとれたタンパク質であると考えられる。
【００３６】
本発明の更なる実施例では本発明のトラウストキトリウム属、シゾキトリウム属及びこれらの混合物と菜種、亜麻仁、大豆及びアボカドミールからなる群から選択された添加成分とを組み合わせて使用した食品を生成している。この実施例の利点は食品が添加成分からの短鎖オメガ三系ＨＵＦＡｓ及び微生物相からの長鎖オメガ三系ＨＵＦＡｓの双方を含有していることにある。亜麻仁、菜種、大豆及びアボカドミールを有する食品は短鎖オメガ三系ＨＵＦＡｓ源を供給し、かつ摂取する人間及び動物によって伸長し得る短鎖オメガ三系ＨＵＦＡｓ源を更に供給するのに有用であることは周知である。しかし、こうした食品には添加成分からのコリン含有量が多く、第一アミンを形成し、魚の不快な臭味を生じさせ得るという問題がある。更に、添加成分からの毒性化合物が高濃度の時、例えば鶏の産卵が抑制され、或いは動物が食餌を受け付けなくなることがあり得る。こうして、本発明の食品には亜麻仁、菜種、大豆又はアボカドミール含有量を低減できるという利点がある。これは、食品を摂取する生物体が長鎖ＨＵＦＡｓに変換する目的で高濃度の短鎖オメガ三系ＨＵＦＡｓを必要としないためである。よって、食品中の亜麻仁及び菜種含有量が低減されることによって食品中のコリン及び／又は抑制毒性化合物の量が低減される。
【００３７】
食品に使用されるトラウストキトリウム属、シゾキトリウム属及びこれらの混合物の量は約５〜９５重量％の範囲にわたっている。添加成分は約５〜９５重量％の範囲で食品中に存在できる。加えて、食品は他の成分も含有することができ、これには穀粒、栄養補給物、ビタミン、結合剤及び防腐剤がある。
【００３８】
好ましい実施例において、上記の食品は押出しを用いて生成される。押出しによって微生物相と添加成分とを混合し、この混合した添加成分量だけ微生物相バイオマスにおける湿度を低減する。食品は加熱されて押し出され、食品から湿度を更に除去する。結果として生じた水分含量が少ない生産物には自然乾燥又は比較的短い時間の焼成による乾燥が可能であり、乾燥に必要な総エネルギー及び長時間の高温に起因するオメガ三系ＨＵＦＡｓの減成度を低下させる。加えて、押出しから発生する熱によって添加成分中に一般的に見出される不要な毒性化合物の幾分かが減成可能である。この毒性化合物により、例えば鶏の産卵が抑制され、或いは動物が食餌を受け付けなくなることがある。
【００３９】
本発明を実施例に従ってより詳細に記載する。上記の選択基準にかなう種は先行技術には記載されていない。これら選択基準を用いることによって、選別した約１，０００個のサンプルから２５を上回る、潜在的に有望な菌株を分離した。アメリカン・タイプ・カルチャ・コレクション（ＡＴＣＣ）における約２０，５００株の内、分離する時に１０株が同一の分類群に属すると後に確認された。この保存機関にてまだ生存可能な菌株を入手し、開示した処理によって分離かつ培養された菌株と比較するのに使用した。この比較結果を以下の例４，５に提示している。
【００４０】
最近の分類理論家はトラウストキドリッド（Thraustochydrid）を藻又は藻状原生生物に分類している。本明細書中にて開示し、かつクレームしている単細胞微生物の全ての菌株はトラウストキトリアレス（Thraustochytriales）目に属している（目：トラウストキトリアレス、科：トラウストキトリアシー（Thraustochytriaceae）、属：トラウストキトリウム属又はシゾキトリウム属）。ここでは概略的に記載する目的で、これら微生物は正確な分類位置が不確定であることをより明らかに示すため、微生物相と呼ぶことにする。
【００４１】
以下の新規株は「特許手続きを目的とする微生物寄託の国際承認に関するブダペスト条約」のもとで寄託された。こうして寄託される素材の公共利用性に関する全ての制約は特許付与と同時に取り払われ、取消はできない。各寄託物は寄託微生物のサンプルを供与する最近の申請がアメリカン・タイプ・カルチャ・コレクション（ＡＴＣＣ）によって受理された後、少なくとも５年間、またどのような場合でも寄託日後、少なくとも３０年間保存される。
【００４２】
本発明の好ましい微生物は寄託株であると同定する特性、詳細には本明細書中に記載のオメガ三系ＨＵＦＡｓを生成することができ、かつ本明細書中に記載の条件下にて培養された時に細胞集合体の寸法特性を有するという同定特性を全て有している。詳細には、本発明の好ましい微生物とは次の寄託微生物及びこの変異体のことをいう。
【００４３】
0003705950.tif 000002
本発明は特定の微生物株に関して開示されているが、開示した示唆に基づいて得られる有用な方法及び菌株の全てを包含するものであり、当業者に可能な手段である代替、改変及び最適化の全てを包含している。
【００４４】
以下の例及び試験結果は例示することを目的としており、本発明の範囲を限定するものではない。
（例）
（例１．収集及び選別）
内陸の浅い塩水池から１５０ｍｌの試料水を収集し、無菌ポリエチレン瓶に保存した。試料水とともに生きている植物の素材及び自然に生じた有機堆積物（腐敗動植物物質）も幾分含有するように特に注意を払った。このサンプルを実験室に戻すまで氷の上に置いた。実験室で試水を１５〜３０秒間振り動かし、２種類のフィルタを有するフィルタ装置の中にこのサンプルを１〜１０ｍｌ、ピペットで移し入れ、即ち注入した。これらのフィルタは、１）上部における、孔寸法が約２５μｍの無菌４７ｍｍ径ワットマン第４番フィルタ及び２）同ワットマンフィルタの下部における、孔寸法が約１．０μｍである４７ｍｍ径ポリカーボネートフィルタである。フィルタの称呼孔寸法に僅かな変動があると、ポリカーボネートフィルタ上に収集される細胞の寸法は約１．０〜２５μｍの範囲になる。
【００４５】
ワットマンフィルタを取り外して廃棄した。ポリカーボネートフィルタをペトリ板の中の固体Ｆ−１培地上に置いた。この培地は（１リットル当り）６００ｍｌの海水（人工海水を利用可能）、４００ｍｌの蒸留水、１０ｇの寒天、１ｇのブドウ糖、１ｇのタンパク質加水分解物、０．２ｇの酵母エキス、２ｍｌの０．１Ｍ  ＫＨ2ＰＯ4、１ｍｌのビタミン溶液（Ａ−ｖｉｔｓ）（１００ｍｇ／ｌのチアミン、０．５ｍｇ／ｌのビオチン及び０．５ｍｇ／ｌのシアノコバラミンを含有）、５ｍｌの微量金属混合物（ＰＩＩ金属、１リットル当りの含有物は６．０ｇのＮａ2ＥＤＴＡ、０．２９ｇのＦｅＣｌ3・６Ｈ2Ｏ、６．８４ｇのＨ3ＢＯ3、０．８６ｇのＭｎＣｌ2・４Ｈ2Ｏ、０．０６ｇのＺｎＣｌ2、０．０２６ｇのＣｏＣｌ2・６Ｈ2Ｏ、０．０５２ｇのＮｉＳＯ4・Ｈ2Ｏ、０．００２ｇのＣｕＳＯ4・５Ｈ2Ｏ及び０．００５ｇのＮａ2ＭｏＯ4・２Ｈ2Ｏ。）並びに各々５００ｍｇの硫酸ストレプトマイシン及びペニシリン−Ｇからなっている。寒天板を暗所にて３０℃で保温培養した。２〜４日後、フィルタ上に多くのコロニーが出現した。単細胞微生物相（酵母は除く）をプレートから摘採し、同様の培地組成の新たなプレート上にて再度画線培養した。ほぼ無色の細胞からなるコロニーは全て摘採するように特に注意を払った。新しいプレートを３０℃で保温培養し、２〜４日の保温培養期間後に単一コロニーを摘採した。次に、摘採した単一コロニーを寒天板と同様の富化有機物を含有する５０ｍｌの液体培地に置いた。これら培地株を回転振とう培養機のテーブル（１００〜２００ｒｐｍ）上で３０℃にて２〜４日間、保温培養した。培地株が最大密度に達した様相を呈すると、この内の２０〜４０ｍｌを採収し、遠心分離させ、凍結乾燥させた。次に、菌株の脂肪酸分を明らかにするため、周知の技術であるガスクロマトグラフィー（ルパージュ（Lepage）及びロイ（Roy）、１９８４年）によってサンプルを分析した。よって、オメガ三系ＨＵＦＡｓを有する菌株が確認され、更に選別するためにこれら培地株を維持した。
【００４６】
上記で概説した収集及び選別方法を利用し、１５０を上回る数の単細胞微生物相の菌株が分離された。これらの菌株は全脂肪酸に占めるパーセントとしてオメガ三系ＨＵＦＡ含有量が多く、１５〜４８℃にわたる温度で生育する。用途によっては、有害なＣ２０：４ｎ−６及びＣ２２：５ｎ−６ＨＵＦＡｓを（全脂肪酸に占めるパーセントとして）１％未満有する菌株も分離可能である。オメガ六系含有量が多い菌株も分離可能である。これら微生物相の菌株は上記で概説した処置を利用して同一位置から繰り返し分離可能である。新たに分離される菌株が非常に酷似した様相の脂肪酸を有することが少なからずある。現時点で、同一菌株の複製分離物が存在する可能性も否定できない。次に、同様の方法により、耐塩性又は多様な炭素及び窒素源を用いる能力のような他の望ましい特性を得るための更なる選別を実施できる。
【００４７】
（例２．無制限生育の維持：ＰＯ4及び酵母エキス）
シゾキトリウムアグリゲータム（Schizochytrium Aggregatum）（ＡＴＣＣ  ２８２０９）の細胞を固体Ｆ−１培地から摘採し、５０ｍｌのＦＦＭ培地に接種した（フラー（Fuller）ら、１９６４年）。この培地は海水を１，０００ｍｌ、ブドウ糖を１．０ｇ、ゼラチン加水分解物を１．０ｇ、肝臓エキスを０．０１ｇ、酵母エキスを０．１ｇ、ＰＩＩ金属を５ｍｌ、１ｍｌのＢ−ビタミン溶液（ゴールドスタイン（Goldstein）ら、１９６９年）及び１ｍｌの抗生物質溶液（２５ｇ／ｌの硫酸ストレプトマイシン及びペニシリン−Ｇ）を含有している。１．０ｍｌのビタミン配合物（ｐＨ７．２）はチアミンＨＣｌを２００μｇ、ビオチンを０．５μｇ、シアノコバラミンを０．０５μｇ、ニコチン酸を１００μｇ、パントテン酸カルシウムを１００μｇ、リボフラビンを５．０μｇ、ピリドキシンＨＣｌを４０．０μｇ、ピリドキサミン２ＨＣｌを２０．０μｇ、ｐ−アミノ安息香酸を１０μｇ、塩素ＨＣｌを５００μｇ、イノシトールを１．０ｍｇ、チミンを０．８ｇ、オロチン酸を０．２６ｍｇ、ホリニン酸を０．２μｇ及び葉酸を２．５μｇ含有している。２７℃にして回転振とう培養機（２００ｒｐｍ）上に培養株を置いた。３〜４日後、この培養株の１ｍｌを各々５０ｍｌの以下の処理剤に移し変えた。１）ＦＦＭ培地（対照標準として）及び２）２５０ｍｇ／ｌのＫＨ2ＰＯ4及び２５０ｍｇ／ｌの酵母エキスを添加したＦＦＭ培地である。これら培養株を４８時間、２７℃にして回転振とう培養機（２００ｒｐｍ）上に置いた。細胞を採収し、細胞の収率を定量化した。第１処理において、無灰乾燥重量ベースでの細胞の最終濃度は６１６ｍｇ／ｌであった。第２処理において、細胞の最終濃度は１，６７５ｍｇ／ｌであり、培地においてＰＯ4及び酵母エキスの濃度を高くするという効果が強調されたことを示している。
【００４８】
（例３．無制限生育の維持：酵母エキスの代替物としてのコーンスティープリカー）
シゾキトリウム属ｓｐ．Ｓ３１（ＡＴＣＣ  Ｎｏ．２０８８８）の細胞を固体Ｆ−１培地から摘採し、５０ｍｌのＭ−５培地の中に置いた。この培地は（１リットルベースで）１ｇの酵母エキス、２５ｇのＮａＣｌ、５ｇのＭｇＳＯ4・７Ｈ2Ｏ、１ｇのＫＣｌ、２００ｍｇのＣａＣｌ2、５ｇのブドウ糖、５ｇのグルタミン酸塩、１ｇのＫＨ2ＰＯ4、５ｍｌのＰＩＩ金属、１ｍｌのＡ−ビタミン溶液及び１ｍｌの抗生物質溶液からなっている。この溶液のｐＨを７．０に調節し、溶液をろ過殺菌した。コーンスティープリカー（４ｇ／４０ｍｌ；ｐＨ７．０）及び酵母エキス（１ｇ／４０ｍｌ；ｐＨ７．０）の無菌溶液を調製した。一組のＭ−５培地フラスコに以下の量の酵母エキス溶液を添加した。１）２ｍｌ；２）１．５ｍｌ；３）１ｍｌ；４）０．５ｍｌ及び５）０．２５ｍｌである。別の一組のＭ−５培地フラスコに酵母エキス及びコーンスティープリカー溶液を以下の濃度で添加した。１）２ｍｌの酵母エキス；２）１．５ｍｌの酵母エキス及び０．５ｍｌのコーンスティープリカー；３）１．０ｍｌの酵母エキス及び１．０ｍｌのコーンスティープリカー；４）０．５ｍｌの酵母エキス及び１．５ｍｌのコーンスティープリカー及び５）２ｍｌのコーンスティープリカーである。各フラスコに接種するのにＦ−１培地における培養株を１ｍｌだけ使用した。これら培養株を４８時間、２７℃にして回転振とう培養機上に置いた。遠心分離法によって細胞を採収し、（無灰乾燥重量として）細胞の収率を測定した。表１に結果を示している。この結果は０．８ｇ／ｌの培地まで酵母エキスを添加することによって細胞の収率を高めることができるということを示している。しかし、酵母エキスとともにコーンスティープリカーを添加すると更に効果的であり、処理剤の収率が２倍になる。コーンスティープリカーは酵母エキスよりも遥かに安価であるため、細胞を経済的に生成するにはこれは非常に有利である。
【００４９】
【表１】
0003705950.tif 000003
【００５０】
（例４．ＡＴＣＣ株（周知の菌株）と比較した場合の例１の方法によって分離した菌株のＨＵＦＡ含有量の増加）
例１に記載の方法に基づいて選択され、新たに分離された一群の１５１個の菌株を後期指数増殖期中にサンプルとし、ガスクロマトグラフィーによってＨＵＦＡ含有量を分析した。全ての菌株はＭ１培地又は液体ＦＦＭ培地のいずれかにおいて生育され、いずれにしても細胞の収率が最大であることを示した。Ｍ１培地はＭ５培地と同一の組成であり、ブドウ糖及びグルタミン酸塩の濃度が１ｇ／ｌである点が例外である。加えて、以前に分離されたトラウストキトリウム属又はシゾキトリウム属を５種、アメリカン・タイプ・カルチャ・コレクションから得た。この保存機関では保存物から生存できる形態で得られる全ての菌株を表示している。これらの菌株とはＴ．アウレウム（aureum）（ＡＴＣＣ第２８２１１番）、Ｔ．アウレウム（ＡＴＣＣ第３４３０４番）、Ｔ．ロゼウム（roseum）（ＡＴＣＣ第２８２１０番）、Ｔ．ストレータム（straitum）（ＡＴＣＣ第３４４７３番）及びＳ．アグリゲータム（ＡＴＣＣ第２８２０９番）であった。従来の培地において菌株は全て生育が短縮されることを示し、本発明のＭ５培地及びＦＦＭ培地等の培地においては概して生育が向上することを示した。本発明の培地において菌株の生育が向上したことに基づき、各周知株の脂肪酸生成量を上記のように測定した。
【００５１】
周知の構造からなる純粋化合物を使用することによって、脂肪酸のピークを確認した。クロマトグラフィーのピークを統合することによって全脂肪酸の重量パーセントで計量した。確認された化合物はパルチミン酸（Ｃ１６：０）、Ｃ２０：４ｎ−６及びＣ２２：１（これらは用いたシステムによって別々に分解しなかった。）、Ｃ２０：５ｎ−３、Ｃ２２：５ｎ−６、Ｃ２２：５ｎ−３並びにＣ２２：６ｎ−３であった。通常は低分子量の残りの脂肪酸は「他の脂肪酸」という分類にまとめた。全オメガ三系脂肪酸を２０：５ｎ−３、２２：５ｎ−３及び２２：６ｎ−３の総計として計算した。全オメガ六系脂肪酸を２０：４／２２：１のピーク及び２２：５ｎ−６のピークの総計として計算した。
【００５２】
表２〜７及び図１〜３にこの結果を示している。表２〜４より、本発明の方法によって多数の菌株を分離でき、かつ幾つかの重要な基準によって周知の菌株よりも優れた菌株が多数存在するということがわかる。例えば、１０２個の菌株は全脂肪酸の少なくとも７．８重量％のＣ２０：５ｗ３を生成し、これは周知のいずれの菌株よりも同脂肪酸の割合が高い。菌株２３Ｂ（ＡＴＣＣ第２０８９２番）及び１２Ｂ（ＡＴＣＣ第２０８９０番）がこの菌株の例である。本発明の３０個の菌株はオメガ三系脂肪酸として全脂肪酸の少なくとも６８重量％を生成し、これは周知のいずれの菌株よりも多い。菌株２３Ｂ（ＡＴＣＣ第２０８９２番）がこの菌株の例である。本発明の７６個の菌株は人間の栄養分には望ましくないと考えられるオメガ六系脂肪酸として全脂肪酸の僅か１０重量％を生成したのみであり、これは周知のいずれの菌株よりも少ない。菌株２３Ｂ（ＡＴＣＣ第２０８９２番）及び１２Ｂ（ＡＴＣＣ第２０８９０番）がこの菌株の例である。加えて、オメガ六系脂肪酸として全脂肪酸の２５重量％を上回る量を生成する本発明の菌株が３５個あり、これは周知のいずれの菌株よりも多い。これらの菌株は栄養目的とするには利用範囲が相対的に狭いといえるが、オメガ六系脂肪酸から開始するエイコサノイドの化学合成用の供給原料として有用である。
【００５３】
加えて、Ｃ２２：６ｎ−３として全オメガ三系脂肪酸を高率に生成する菌株が多く存在することをデータが明らかにしている。表５〜７において、表２〜４に示した菌株の４８個を周知の菌株と比較し、Ｃ２０：５ｎ−３、Ｃ２２：５ｎ−３及びＣ２２：６ｎ−３の各々を総オメガ三系重量パーセントとして示している。１５個の菌株がＣ２２：６ｎ−３として全オメガ三系脂肪酸の少なくとも９４重量％を有し、これは周知のいずれの菌株よりも多い。菌株Ｓ８（ＡＴＣＣ第２０８８９番）がこの菌株の例であった。１８個の菌株がＣ２０：５ｎ−３として全オメガ三系脂肪酸の少なくとも２８重量％を有し、これは周知のいずれの菌株よりも多い。菌株１２Ｂ（ＡＴＣＣ第２０８９０番）がこの菌株の例であった。
【００５４】
【表２】
0003705950.tif 000004
【００５５】
【表３】
0003705950.tif 000005
【００５６】
【表４】
0003705950.tif 000006
【００５７】
【表５】
0003705950.tif 000007
【００５８】
【表６】
0003705950.tif 000008
【００５９】
【表７】
0003705950.tif 000009
【００６０】
図１は例１における方法によって分離され、（全脂肪酸パーセントにして）６７％を上回るオメガ三系脂肪酸及び（全脂肪酸パーセントにして）１０．６％を下回るオメガ六系脂肪酸を有する一連の菌株を示している。周知の菌株は全て（全脂肪酸パーセントにして）６７％を下回るオメガ三系脂肪酸及び（全脂肪酸パーセントにして）１０．６％を上回るオメガ六系脂肪酸を有していた。
【００６１】
図２は例１における方法によって分離され、（全脂肪酸パーセントにして）６７％を上回るオメガ三系脂肪酸及び（全脂肪酸パーセントにして）７．５％を上回るＣ２０：５ｎ−３を有する一連の菌株を示している。周知の菌株は全て（全脂肪酸パーセントにして）６７％を下回るオメガ三系脂肪酸及び（全脂肪酸パーセントにして）７．８％を下回るＣ２０：５ｎ−３を有していた。
【００６２】
（例５．ＡＴＣＣ菌株（周知の株）と比較した場合の例１の方法によって分離した菌株の生育率の上昇）
シゾキトリウム属ｓｐ．Ｓ３１（ＡＴＣＣ第２０８８８番）、シゾキトリウム属ｓｐ．Ｓ８（ＡＴＣＣ第２０８８９番）、トラウストキトリウム属ｓｐ．Ｓ４２、トラウストキトリウム属ｓｐ．Ｕ４２−２、トラウストキトリウム属ｓｐ．Ｕ４２及びＵ３０並びにトラウストキトリウムアウレウム（ＡＴＣＣ第２８２１１番）及びシゾキトリウムアグリゲータム（ＡＴＣＣ第２８２０９番）（周知の菌株）の細胞を固体Ｆ−１培地から摘採し、５０ｍｌのＭ−５培地に置いた。この溶液のｐＨを７．０に調節し、溶液をろ過殺菌した。回転振とう培養機（２００ｒｐｍ、２７℃）上で３日間生育した後、各培養菌株の１〜２ｍｌをＭ−５培地の他のフラスコに移し換え、２日間、同振とう培養機上に置いた。次に、これら培養株（１〜２ｍｌ）をＭ−５培地の他のフラスコに移し換え、１日間、振とう培養機上に置いた。この工程により全ての培養株は指数増殖期中にあった。次に、これらの後期培養株を用いてＭ−５培地の２本の２５０ｍｌフラスコに接種し、各々に株を育成することとした。次に、これらフラスコを２５℃及び３０℃にて振とう培養機上に置き、ベックマンＤＢ−Ｇ分光測光器（６６０ｎｍ、１ｃｍの路程）上でその光学濃度の変化を監視した。光学濃度の読取りは０，６，１０，１４，１７．２５，２０．２５，２２．７５時間で行った。次に、ソロキン（（Sorokin）１９７３年）の手法によって光学密度データから指数増殖率（１日当りの倍加）を計算した。この結果を表８及び図４（２５℃における菌株Ｕ３０の生育が標準）に示している。例１における方法によって分離された菌株が２５℃及び３０℃の双方で周知のＡＴＣＣ菌株よりも遥かに高い生育率を有し、連続して生育するのに欠かせないリン酸塩濃度に最適化しても結果は同じであることをデータは示している。南極の冷水から分離されたトラウストキトリアレス株は３０℃で生育する様子を示さなかった。
【００６３】
【表８】
0003705950.tif 000010
【００６４】
（例６．ＡＴＣＣ株（従来の菌株）と比較した場合の例１の方法によって分離した菌株の生成特性（生育及び脂質誘導）の向上）
シゾキトリウム属ｓｐ．Ｓ３１（ＡＴＣＣ第２０８８８番）、シゾキトリウム属ｓｐ．Ｓ８（ＡＴＣＣ第２０８８９番）（双方とも例１の方法で分離）並びにトラウストキトリウムアウレウム（ＡＴＣＣ第２８２１１番）及びシゾキトリウムアグリゲータム（ＡＴＣＣ第２８２０９番）（従来の菌株）の細胞を固体Ｆ−１培地から摘採し、５０ｍｌのＭ−５培地の中に置いた（例３を参照）。この溶液のｐＨを７．０に調節し、溶液をろ過殺菌した。回転振とう培養機（２００ｒｐｍ、２７℃）上で３日間生育した後、各培養株の１〜２ｍｌをＭ−５培地の他のフラスコに移し換え、２日間、同振とう培養機上に置いた。次に、これら培養株の各々の無灰乾燥重量を素早く測定し、５０ｍｌのＭ−５培地を含有する２本の２５０ｍｌ三角フラスコの中に各培養株を３．２９ｍｇだけピペットで移し換えた。これらフラスコを回転振とう培養機上に置いた（２００ｒｐｍ、２７℃）。２４時間後、各培養株の２０ｍｌ分を遠心分離し、上澄みを廃棄し、グルタミン酸塩（Ｎ源）を全く含有しない５０ｍｌのＭ−５培地を有する２５０ｍｌ三角フラスコに細胞を移し換えた。フラスコを振とう培養機に置き直し、ルパージュ及びロイ（１９８４年）の手法によって１２時間後に試料採取して無灰乾燥重量を測定し、脂肪酸分を定量化した。この結果を図５（周知の菌株であるＡＴＣＣ第２８２１１番の収率が標準）に示している。この結果は例１の方法によって分離された菌株が指数増殖及び窒素制限下において、同時間内で従来のＡＴＣＣ株より２〜３培も多い無灰乾燥重量を生成したことを示している。加えて、本発明の菌株から得られる全脂肪酸及びオメガ三系脂肪酸の収率が多くなり、菌株Ｓ３１（ＡＴＣＣ第２０８８８番）は従来のＡＴＣＣ株より３〜４培も多いオメガ三系脂肪酸を生成している。
【００６５】
（例７．例１の方法で分離した菌株によって向上した耐塩性及び脂肪酸生成）トラウストキトリッドの４種の菌株、即ちシゾキトリウム属ｓｐ．Ｓ３１（ＡＴＣＣ第２０８８８番）、トラウストキトリウム属ｓｐ．Ｕ４２−２（ＡＴＣＣ第２０８９１番）（双方とも例１の方法で分離かつ選別）並びにＳ．アグリゲータム（ＡＴＣＣ第２８２０９番）及びＴ．アウレウム（ＡＴＣＣ第２８２１０番）（アメリカン・タイプ・カルチャ・コレクションから入手）を固体Ｆ−１培地から摘採し、回転振とう培養機（２００ｒｐｍ）上で２７℃にて３〜４日間、保温培養した。以下のようにＭ培地塩（２５ｇ／ｌのＮａＣｌ、５ｇ／ｌのＭｇＳＯ4・７Ｈ2Ｏ、１ｇ／ｌのＫＣｌ、２００ｍｇ／ｌのＣａＣｌ2）を希釈することによって、異なる塩度域の培地を調製した。それは、１）１００％（ｗ／ｖ）のＭ培地塩、２）８０％（ｖ／ｖ）のＭ培地、２０％（ｖ／ｖ）の蒸留水、３）６０％（ｖ／ｖ）のＭ培地、４０％（ｖ／ｖ）の蒸留水、４）４０％（ｖ／ｖ）のＭ培地、６０％（ｖ／ｖ）の蒸留水、５）２０％（ｖ／ｖ）のＭ培地、８０％（ｖ／ｖ）の蒸留水、６）１５％（ｖ／ｖ）のＭ培地、８５％（ｖ／ｖ）の蒸留水、７）１０％（ｖ／ｖ）のＭ培地、９０％（ｖ／ｖ）の蒸留水、８）７％（ｖ／ｖ）のＭ培地、９３％（ｖ／ｖ）の蒸留水、９）３％（ｖ／ｖ）のＭ培地、９７％（ｖ／ｖ）の蒸留水、１０）１．５％（ｖ／ｖ）のＭ培地、９８．５％（ｖ／ｖ）の蒸留水である。以下の栄養素、即ち５ｇのブドウ糖、５ｇのグルタミン酸塩、１ｇの酵母エキス、２００ｍｇの（ＮＨ4）2ＳＯ4、２００ｍｇのＮａＨＣＯ3、５ｍｌのＰＩＩ金属、１ｍｌのＡビタミン溶液及び２ｍｌの抗生物質溶液を処理剤に添加した（１リットル当り）。これら処理剤の各々の５０ｍｌにＦ−１培地にて生育する細胞の１ｍｌを接種した。これら培養株を回転振とう培養機（２００ｒｐｍ）上に置き、４８時間、２７℃で維持した。遠心分離により細胞を採収し、ガスクロマトグラフィーにより全脂肪酸を測定した。この結果を図６に示している。例１の方法で分離されたトラウストキトリウム属ｓｐ．Ｕ４２−２（ＡＴＣＣ第２０８９１番）はＴ．アウレウム（ＡＴＣＣ第２８２１１番）が生成する脂肪酸の量のほぼ２倍、Ｓ．アグリゲータム（ＡＴＣＣ第２８２０９番）が生成する脂肪酸の量の８倍以上を生成できる。加えて、Ｕ４２−２は評価塩度域の上端において、より広範囲の耐塩性を有しているように思われる。やはり例１の方法で分離されたシゾキトリウム属ｓｐ．Ｓ３１（ＡＴＣＣ第２０８８８番）は脂肪酸収率が多く（周知のＡＴＣＣ株の２．５〜１０倍）、ＡＴＣＣ株よりも遥かに広範囲の耐塩性を示した。加えて、シゾキトリウム属ｓｐ．Ｓ３１（ＡＴＣＣ第２０８８８番）は非常に低い塩度で最大に生育している。市販性を考慮した場合、この特性は経済的に大きな効果となる。それは、塩水が金属反応装置に腐食効果を及ぼし、塩水処理に関連して問題が発生するためである。
【００６６】
（例８．培養／低塩度）
２５０ｍｌ三角フラスコ中のＭ／１０−５培地の５０ｍｌに、寒天斜面から摘採したシゾキトリウム属ｓｐ．Ｓ３１（ＡＴＣＣ第２０８８８番）のコロニーを接種した。Ｍ／１０−５培地は１０００ｍｌの脱イオン水、２．５ｇのＮａＣｌ、０．５ｇのＭｇＳＯ4・７Ｈ2Ｏ、０．１ｇのＫＣｌ、０．０２ｇのＣａＣｌ2、１．０ｇのＫＨ2ＰＯ4、１．０ｇの酵母エキス、５．０ｇのブドウ糖、５．０ｇのグルタミン酸、０．２ｇのＮａＨＣＯ3、５ｍｌのＰＩＩ微量金属、２ｍｌのビタミン配合物及び２ｍｌの抗生配合物を含有している。回転振とう培養機（２００ｒｐｍ）上で３０℃にて培養株を保温培養した。２日後、培養株は適度の密度になり、活発に生育していた。この活発に生育する培養株を２０ｍｌ用いて、同一の培地を１７００ｍｌ含有する２リットル発酵そうに接種した。但し、この培地ではブドウ糖及びグルタミン酸塩の濃度は４０ｇ／ｌに増大していた（Ｍ／１０−４０培地）。発酵そうを３０℃、１ｖｏｌ／ｍｉｎのエアレーション、３００ｒｐｍの混合で維持した。４８時間後、発酵そう中の細胞密度は２１．７ｇ／ｌであった。細胞を遠心分離によって採収し、凍結乾燥させ、Ｎ2下にて保存した。
【００６７】
全脂肪酸分及びオメガ三系脂肪酸含有量をガスクロマトグラフィーによって測定した。最終生成物の総脂肪酸分は３９．０％の無灰乾燥重量であった。微生物生産物のオメガ三系ＦＵＦＡ含有量（Ｃ２０：５ｎ−３、Ｃ２２：５ｎ−３及びＣ２２：６ｎ−３）は、総脂肪酸分の２５．６％であった。試料の灰分は７．０％であった。
【００６８】
（例９．脂肪酸分の多様性）
例４に記載の種々の菌株によって生成される脂肪酸の生育及びガスクロマトグラフ分析によって、脂肪酸の多様性に相違があることが明らかになった。本発明の菌株は従来から得られる菌株よりも互いに異なる脂肪酸を合成することが少なかった。分離すべき不純物がより少なくなるため、脂肪酸の精製では脂肪酸の多様性が低いほうが効果的である。餌料補給を目的として、不要な脂肪酸を摂取する可能性が減じるため、互いに異なる脂肪酸の数は少ないほうが効果的である。表９はＡＴＣＣ番号で示す周知の菌株及び本発明の種々の菌株において、総脂肪酸重量にして１％以上の濃度を占めて存在し、互いに異なっているＨＵＦＡｓの数を示している。
【００６９】
【表９】
0003705950.tif 000011
【００７０】
（例１０．回収）
２５０ｍｌ三角フラスコ中のＭ５培地の５０ｍｌに、寒天斜面から摘採したシゾキトリウム属ｓｐ．Ｓ３１（ＡＴＣＣ第２０８８８番）のコロニーを接種した。回転振とう培養機（２００ｒｐｍ）上で３０℃にて培養株を保温培養した。２日後、培養株は適度の密度になり、活発に生育していた。この活発に生育する培養株の２０ｍｌを用いて、同一の培地を１０００ｍｌ含有する１リットル発酵そうに接種した。但し、この培地ではブドウ糖及びグルタミン酸塩の濃度を４０ｇ／ｌに増大していた（Ｍ２０培地）。発酵そうを３０℃、ｐＨ７．４で維持し、エアレーションを１ｖｏｌ／ｍｉｎ、混合を４００ｒｐｍとした。４８時間後、発酵そう中の細胞密度は１８．５ｇ／ｌであった。発酵そうにおけるエアレーション及び混合を止めて２〜４分以内に細胞は発酵そうの下部２５０ｍｌにおいて凝集し、沈澱した。細胞のこの凝集領域は７２ｇ／ｌの細胞密度を有していた。この細胞域は発酵そうからサイホンで吸収でき、更に（１）窒素制限時間中、別の反応装置に移され（例えば、幾つかの発酵そうの高密度生成を組み合わせる。）或いは（２）遠心分離又はろ過によって直接採収できる。このように予め細胞を凝集させることによって、細胞を回収するために加工処理する必要がある水の量が６０〜８０％少なくなった。
【００７１】
（例１１．種々の炭素源及び窒素源の利用）
２５０ｍｌ三角フラスコ中のＭ５培地の５０ｍｌに、寒天斜面から摘採したシゾキトリウム属ｓｐ．Ｓ３１（ＡＴＣＣ第２０８８８番）又はトラウストキトリウム属ｓｐ．Ｕ４２−２（ＡＴＣＣ第２０８９１番）のコロニーを接種した。Ｍ５培地については例３で記載し、その相違は２ｍｌのビタミン配合物質及び２ｍｌの抗生物質混合物を添加したことにある。回転振とう培養機（２００ｒｐｍ）上で３０℃にて培養株を保温培養した。２日後、培養株は適度の密度になり、活発に生育していた。この培養株を用いてＭ５培地のフラスコにブドウ糖の代替としてデキストリン、ソルビトール、フルクトース、ラクトース、マルトース、スクロース、コーンスターチ、小麦でんぷん、ジャガイモでんぷん、グランドコーン（ground corn）の中の１つを接種し（５ｇ／ｌ）、或いはグルタミン酸塩の代替としてゲリセート（gelysate）、ペプトン、トリプトン、カゼイン、コーンスティープリカー、尿素、硝酸塩、アンモニウム、ホエー又はコーングルテンミールの中の１つを接種した（５ｇ／ｌ）。回転振とう培養機（２００ｒｐｍ、２７℃）上で４８時間、培養株を保温培養した。互いに異なる有機物上での生育を比較した培養密度を表１０，１１に示している。
【００７２】
【表１０】
0003705950.tif 000012
【００７３】
【表１１】
0003705950.tif 000013
【００７４】
（例１２．塩水エビのオメガ三系ＨＵＦＡ含有量の増加を目的とするトラウストキトリッドベースの飼養補給物の給餌）
Ｍ−５培地のシェーク（shake）フラスコにおいてトラウストキトリウム属ｓｐ．１２Ｂ（ＡＴＣＣ第２０８９０番）の細胞バイオマスを２５℃で生成した（例３を参照）。Ｍ／１０−５培地のシェークフラスコにおいてトラウストキトリウム属ｓｐ．Ｓ３１（ＡＴＣＣ第２０８８８番）の細胞バイオマスを２７℃で生成した（例８を参照）。遠心分離によって各菌株の細胞を採収した。このペレットを一度蒸留水で洗浄し、再度遠心分離させ、５０％の固形ペーストを生成した。生じたペーストを海水中に再度懸濁させ、次に給餌補給物として成体塩水エビ用の培養物に添加した。塩水エビは老廃農産物上にて予め飼養され、この結果、塩水エビのオメガ三系ＨＵＦＡ含有量は非常に少なく、全脂肪酸の僅か１．３〜２．３％であった（野生塩水エビのオメガ三系ＨＵＦＡの平均含有量は全脂肪酸の６〜８％である。）。海水で満たした１リットルビーカー中に塩水エビ（２〜３／ｍｌ）を保持し、エアーストーン（airstone）を用いてこの培養物を曝気かつ混合した。給餌補給物の添加後、塩水エビのサンプルを時々採収して洗浄し、ガスクロマトグラフィーによって脂肪酸含有量を測定した。この結果を図７及び８に示している。最後の給餌としてトラウストキトリッドベースの給餌補給物を給餌すると、塩水エビのオメガ三系含有量は菌株１２Ｂを給餌する場合には５時間以内に、或いはＳ３１を給餌する場合には１１時間以内に野生塩水エビのオメガ三系含有量にまで増加可能である。塩水エビのオメガ三系ＨＵＦＡ含有量は、これら給餌補給物を２４時間まで給餌すると、野生塩水エビのオメガ三系含有量よりも大幅に増加可能である。加えて、これら給餌補給物によって塩水エビのＤＨＡ含有量が大幅に増加する。通常、ＤＨＡは野生塩水エビでは微量にしか報告されていない。
【００７５】
（例１３．培地における硫酸ナトリウムの使用）
この例では、発酵培地におけるナトリウム塩として塩化ナトリウムの代わりに硫酸ナトリウムを用いた時、オメガ三系生成及び総脂肪酸分が損なわれず、同等か或いは優れていることを示している。培地１リットル当り２．３６ｇのナトリウム、１．５〜３．０ｇの窒素源及び３．０ｇのブドウ糖を含有し、ｐＨが７．０の培地において、シゾキトリウム属  ＡＴＣＣ第２０８８８番を生育した。２００ｒｐｍにて２８℃で４８時間、細胞を保温培養した。この結果を表１２に示している。
【００７６】
【表１２】
0003705950.tif 000014
【００７７】
表１２からわかるように、ナトリウム塩として硫酸ナトリウムを用いた時のオメガ三系及び全脂肪酸の生成は塩化ナトリウムを用いた時に匹敵するか、或いはより優れている。
【００７８】
（例１４．低塩度培地におけるシゾキトリウム属の生成）
この例では、低塩度の培地でありながらバイオマス収率並びにオメガ三系及び脂肪酸の生成を高度に維持したシゾキトリウム属の発酵を示している。
【００７９】
窒素源として３．３３ｇ／ｌのペプトン、炭素源として５．０ｇ／ｌのブドウ糖を含有し、ナトリウム濃度を色々に変えた培地において、シゾキトリウム属  ＡＴＣＣ第２０８８８番を生育した。約４０ｍｇ／ｌ  ｄｗｔの接種物によって４８時間、３０℃にて細胞を発酵させた。ナトリウムは塩化ナトリウムとして供給した。この進行結果を表１３に示している。
【００８０】
【表１３】
0003705950.tif 000015
【００８１】
表１３の結果からわかるように、約１．０ｇ／ｌ以上のナトリウム濃度でバイオマス収率並びにオメガ三系脂肪酸及び全脂肪酸の生成を高めることができる。
（例１５．塩化物含有量が少ない培地におけるシゾキトリウム属の培養）
この例では、最低限の塩化物濃度でありながら初期糖濃度に基づいてバイオマス収率を増大させた、本発明の微生物相の発酵を示している。
【００８２】
下記に示す培地の５０ｍｌアリコートで２００ｒｐｍ及び２８℃にてシェークフラスコ中においてシゾキトリウム属  ＡＴＣＣ第２０８８８番を培養した。この培地は１０００ｍｌの脱イオン水、１．２ｇのＭｇＳＯ4・７Ｈ2Ｏ、０．０６７ｇのＣａＣＯ3、３．０ｇのブドウ糖、３．０ｇのグルタミン酸モノナトリウム、０．２ｇのＫＨ2ＰＯ4、０．４ｇの酵母エキス、５．０ｍｌのＰＩＩ金属、１．０ｍｌのビタミン配合物並びに各０．１ｇのペニシリンＧ及び硫酸ストレプトマイシンからなっていた。塩化物の濃度は各処理剤に添加するＫＣｌの量を変えることによって様々であった。全ての処理剤におけるカリウム濃度はクエン酸カリウムを添加することによって一定に保持された。硫酸ナトリウムの添加によってナトリウム濃度は２．３７ｇ／ｌ又は４．０ｇ／ｌのいずれかであった。これら発酵の結果を下記の表１４に示している。
【００８３】
【表１４】
0003705950.tif 000016
【００８４】
表１４に示す結果からわかるように、低塩化物濃度にて１糖当りのバイオマス収率を多くすることができる。例えば、５９．１ｍｇ／ｌ以上の塩化物濃度において理論値の５０％以上の収率を達成している。
【００８５】
（例１６．低塩化物濃度での硫酸ナトリウム濃度の変動）
この例では、低塩化物濃度での発酵における様々な硫酸ナトリウム濃度の効果を示している。
【００８６】
下記に示す培地の５０ｍｌアリコートで２００ｒｐｍ及び２８℃にてシェークフラスコ中においてシゾキトリウム属  ＡＴＣＣ第２０８８８番を培養した。この培地は１０００ｍｌの脱イオン水、１．２ｇのＭｇＳＯ4・７Ｈ2Ｏ、０．１２５ｇのＫＣｌ、０．０６７ｇのＣａＣＯ3、３．０ｇのブドウ糖、３．０ｇのグルタミン酸モノナトリウム、０．２ｇのＫＨ2ＰＯ4、０．４ｇの酵母エキス、５．０ｍｌのＰＩＩ金属、１．０ｍｌのビタミン配合物並びに各０．１ｇのペニシリンＧ及び硫酸ストレプトマイシンからなっていた。硫酸ナトリウムの濃度を処理剤において３．０〜３０．２ｇ／ｌに変化させた。発酵の進行結果を下記の表１５に示している。
【００８７】
【表１５】
0003705950.tif 000017
【００８８】
表１５に示す結果は約５９ｇ／ｌという低塩化物濃度において、適正な硫酸ナトリウム濃度を選択することによって、ブドウ糖から理論値の５０％以上のバイオマス収率が多く得られることを示している。
【００８９】
【発明の効果】
以上詳述したように、本発明によれば、微生物相及び同微生物相を生育する方法を改良して、高濃度のオメガ三系高度不飽和脂肪酸を生成することができる。
【図面の簡単な説明】
【図１】新たに分離された本発明の菌株（●）及び以前に分離された菌株（＋）におけるＨＵＦＡ生成のグラフ図である。各点は菌株を表し、各点の位置はオメガ三系ＨＵＦＡｓ（横座標）の全脂肪酸に占める重量パーセント及びオメガ六系脂肪酸（縦座標）の全脂肪酸に占める重量パーセントによって確定されている。本発明の菌株は全脂肪酸の１０．６％（ｗ／ｗ）以下がオメガ六系で、全脂肪酸の６７％以上がオメガ三系の範囲内にのみ示された。
【図２】新たに分離された本発明の菌株（●）及び以前に分離された菌株（＋）におけるＨＵＦＡ生成のグラフ図である。各点は菌株を表し、各点の位置はオメガ三系ＨＵＦＡｓ（横座標）の全脂肪酸に占める重量パーセント及びエイコサペンタエン酸（ＥＰＡ  Ｃ２０：５ｎ−３）（縦座標）の全脂肪酸に占める重量パーセントによって確定されている。本発明の菌株は全脂肪酸の６７％（ｗ／ｗ）以上がオメガ三系で、全脂肪酸の７．８％（ｗ／ｗ）以上がＣ２０：５ｎ−３の範囲内にのみ示された。
【図３】新たに分離された本発明の菌株（□）及び以前に分離された菌株（＋）におけるオメガ三系ＨＵＦＡ組成のグラフである。各点は個々の菌株を表している。横座標値はＣ２０：５ｎ−３の全オメガ三系ＨＵＦＡｓの重量画分であり、縦座標値はＣ２２：６ｎ−３の全オメガ三系高度不飽和脂肪酸の重量画分である。本発明の菌株のみがＣ２０：５ｎ−３の重量画分が２８％以上であるか、或いはＣ２２：６ｎ−３の重量画分が９３．６％を上回る範囲に示された。
【図４】新たに分離された本発明の種々の菌株及び以前に分離された菌株の２５℃及び３０℃における生育を示すグラフである。生育率は２５℃での菌株Ｕ−３０の生育率に対して標準化されている。以前に分離された菌株はＡＴＣＣ受入番号で示されている。
【図５】窒素の制限による誘導後の細胞生成の総収率のグラフである。図示したような無灰乾燥重量、全脂肪酸及びオメガ三系ＨＵＦＡｓの各々は菌株２８２１１の対応値を標準とするように示された。全ての菌株はＡＴＣＣ受入番号で識別されている。
【図６】横座標に示す塩度を有する培地において生育された後の脂肪酸収率のグラフである。図示した菌株は新たに分離された菌株Ｓ３１（ＡＴＣＣ  ２０８８８）（□）及びＵ４２−２（ＡＴＣＣ  ２０８９１）（＋）並びに以前に分離された菌株ＡＴＣＣ  ２８２１１（◇）及びＡＴＣＣ  ２８２０９（△）である。脂肪酸収率はＳ３１（ＡＴＣＣ  ２０８８８）（□）が試験塩度域にわたって示す平均生育率に基づき、任意値１．００を標準とした相対収率としてプロットされている。
【図７】例１の方法で分離されたトラウストキトリッド（Thraustochytrid）菌株（ＡＴＣＣ  ２０８９０）を給餌されたアルテミアサリナ（Artemia salina）という塩水エビにおける総脂質中のオメガ三系ＨＵＦＡ含量の増加を示すグラフである。ＥＰＡはＣ２０：５ｎ−３、ＤＨＡはＣ２２：５ｎ−３である。
【図８】例１の方法で分離されたトラウストキトリッド菌株（ＡＴＣＣ  ２０８８８）を給餌されたアルテミアサリナという塩水エビにおける総脂質中のオメガ三系ＨＵＦＡ含量の増加を示すグラフである。ＥＰＡはＣ２０：５ｎ−３、ＤＨＡはＣ２２：５ｎ−３である。
【図１】
0003705950.tif 000018
【図２】
0003705950.tif 000019
【図３】
0003705950.tif 000020
【図４】
0003705950.tif 000021
【図５】
0003705950.tif 000022
【図６】
0003705950.tif 000023
【図７】
0003705950.tif 000024
【図８】
0003705950.tif 000025